(57)【特許請求の範囲】
【請求項１】
ミシンのベッド部に針板を着脱するロック付き針板交換装置であって、
針板とベッド部に設けられて互いに嵌合し、針板をベッド部の取り付け位置に位置決めする位置決め機構と、
ベッド部に設けられ、掛止方向に付勢された掛止部材と、針板に設けられた被掛止部材とを有し、針板をベッド部の取り付け位置に装着することによって、掛止部材が被掛止部材に掛止し、掛止状態を維持するロック機構と、
ベッド部に設けられ、ベッド部に装着された針板をベッド部上方の取り外し位置へ押し上げる押し上げ機構と、
押し上げ機構に設けられ、押し上げ機構を操作することによって、ロック機構の掛止部材が付勢方向に抗して作動し、被係止部との掛止状態を解除する解除機構とを備えたことを特徴とするロック付き針板交換装置。
【請求項２】
ロック機構の掛止部材は、ベッド部に往復動可能に設けられた鈎状のロック爪部と、ロック爪部を掛止方向に付勢するロックばねとからなり、
ロック機構の被掛止部材は、針板の下面から垂下され、ロック爪部が掛止するロック受け板からなることを特徴とする請求項１に記載のロック付き針板交換装置。
【請求項３】
解除機構は、押し上げ機構に設けられた解除部材と、ロック爪部に設けられ、解除部材が係合してロック爪部を付勢方向に抗して作動させる作動部材とからなることを特徴とする請求項２に記載のロック付き針板交換装置。
【請求項４】
押し上げ機構は、ベッド部に回動可能に枢着された針板交換レバーと、針板交換レバーの操作により針板の下面を突き上げて針板をベッド部上方の取り外し位置へ押し上げる針板交換棒と、針板交換棒を下方に付勢する戻りばねとからなることを特徴とする請求項１〜３のいずれかに記載のロック付き針板交換装置。
【請求項５】
針板をベッド部の取り付け位置に保持する保持機構をさらに備え、
保持機構は、針板の下面に設けられた湾曲部を有する針板ばねと、ベッド部に設けられ、針板ばねの湾曲部が嵌入する嵌入部が形成された係合立壁とからなることを特徴とする請求項１〜４のいずれかに記載のロック付き針板交換装置。
【請求項６】
保持機構は、針板をベッド部の取り付け位置に係止する係止部材をさらに備え、
係止部材は、針板ばねと対向する側で針板の下面に設けられた固定片と、ベッド部に設けられ、ベッド部の上部支持壁との間に固定片の先端部を挟持するとともに針板を所定角度回転可能に保持する受け板とからなることを特徴とする請求項５に記載のロック付き針板交換装置。
【発明の詳細な説明】
【技術分野】
【０００１】
本発明は、ミシンの針板を機枠のベッド部に着脱する針板交換装置に関し、とくに装着された針板が不用意に外れるのを防止することができるロック付き針板交換装置に関する。
【背景技術】
【０００２】
針板を取り付けるミシンのベッド部の下部には、針を駆動する上軸に同期する下軸、および下軸に連動する釜などの針糸捕捉機構や送り機構が収容されており、これらの運動機構のトラブルへの対処など、ミシンのメンテナンスのために針板を着脱する必要が生じる場合がある。
また、針板は、直線縫い用やジグザグ縫い用など、縫製目的によって異なる針板に交換する場合がある。
【０００３】
針板は、針が貫通する針孔を有するため、針板をミシンに装着する場合に、針が落ちる位置に針孔を正確に位置決めしなければならないことから、針板は、ミシンの機枠に対して正確に位置合わせして取り付ける必要がある。
この課題に対応するために、ドライバーなどの工具を必要とせず、装着された針板を簡単に取り外すことができる開放機構を備えるとともに、装着にあたっては簡単な操作で位置決め固定可能である、着脱容易な針板着脱機構が従来から知られている（例えば、特許文献１参照）。  
【先行技術文献】
【特許文献】
【０００４】
【特許文献１】特開２０１３−４８８４６号公報
【発明の概要】
【発明が解決しようとする課題】
【０００５】
しかしながら、ミシン使用時に何らかの不具合が原因で、上糸または下糸が絡んでしまうことがあり、そのような場合には、針板内にある内釜に糸が絡みつき、ミシンがロックし、内釜が飛び出すことがあった。この飛び出した内釜は、針板を押し上げ、極めて危険な状態となることがあった。
また、上記特許文献１記載の針板着脱機構のように、針板が持ち上がり、針板が外れてしまうと、針板検知スイッチが針板が外れたことを検知するために、ミシンは、安全に駆動を停止するが、針板が外れると内釜が飛び出し、内釜への針刺しや針折れの危険性があった。
【０００６】
さらに、針板は、針板ばねの力によってベッド部に保持されているので、針板ばねの保持力は、内釜の飛び出しを抑制するほど強くはなく、仮に、内釜の飛び出しを抑制しようとすると、針板ばねの保持力を必要以上に強くしなければならず、着脱時に余分な力を必要とすることになり、実用上、問題があった。
【０００７】
本発明は、上記問題を解決することを課題とし、針板をベッド部に装着する場合は、簡単な操作で針板をベッド部に確実にロックできるとともに、針板をベッド部から取り外す場合は、ワンアクションの簡単な操作だけでロック状態を解除するとともに、針板をベッド部から押し上げることができるロック付き針板交換装置を提供することを目的とする。
【課題を解決するための手段】
【０００８】
本発明は、上記の課題を解決するため、ロック付き針板交換装置として、ミシンのベッド部に針板を着脱するロック付き針板交換装置であって、針板とベッド部に設けられて互いに嵌合し、針板をベッド部の取り付け位置に位置決めする位置決め機構と、ベッド部に設けられ、掛止方向に付勢された掛止部材と、針板に設けられた被掛止部材とを有し、針板をベッド部の取り付け位置に装着することによって、掛止部材が被掛止部材に掛止し、掛止状態を維持するロック機構と、ベッド部に設けられ、ベッド部に装着された針板をベッド部上方の取り外し位置へ押し上げる押し上げ機構と、押し上げ機構に設けられ、押し上げ機構を操作することによって、ロック機構の掛止部材が付勢方向に抗して作動し、被係止部との掛止状態を解除する解除機構とを備えたことを特徴とする構成を採用する。
【０００９】
本発明のロック機構の具体的実施形態として、ロック機構の掛止部材は、ベッド部に往復動可能に設けられた鈎状のロック爪部と、ロック爪部を掛止方向に付勢するロックばねとからなり、ロック機構の被掛止部材は、針板の下面から垂下され、ロック爪部が掛止するロック受け板からなることを特徴とする構成を採用する。
【００１０】
本発明の解除機構および押し上げ機構の具体的実施形態として、解除機構は、押し上げ機構に設けられた解除部材と、ロック爪部に設けられ、解除部材が係合してロック爪部を付勢方向に抗して作動させる作動部材とからなることを特徴とする構成、さらに、押し上げ機構は、ベッド部に回動可能に枢着された針板交換レバーと、針板交換レバーの操作により針板の下面を突き上げて針板をベッド部上方の取り外し位置へ押し上げる針板交換棒と、針板交換棒を下方に付勢する戻りばねとからなることを特徴とする構成を採用する。
【００１１】
本発明のロック付き針板交換装置の実施形態として、針板をベッド部の取り付け位置に保持する保持機構をさらに備え、保持機構は、針板の下面に設けられた湾曲部を有する針板ばねと、ベッド部に設けられ、針板ばねの湾曲部が嵌入する嵌入部が形成された係合立壁とからなることを特徴とする構成を採用する。
【００１２】
本発明の保持機構の具体的実施形態として、保持機構は、針板をベッド部の取り付け位置に係止する係止部材をさらに備え、係止部材は、針板ばねと対向する側で針板の下面に設けられた固定片と、ベッド部に設けられ、ベッド部の上部支持壁との間に固定片の先端部を挟持するとともに針板を所定角度回転可能に保持する受け板とからなることを特徴とする構成を採用する。
【発明の効果】
【００１３】
本発明のロック付き針板交換装置は、針板をベッド部に押圧するだけで、位置決め機構が針板をベッド部の取り付け位置へ位置合わせするとともに、ベッド部に設けられ、掛止方向に付勢された掛止部材と、針板に設けられた被掛止部材とが掛止して掛止状態を維持するロック機構と、ベッド部に装着された針板をベッド部上方の取り外し位置へ押し上げる押し上げ機構と、押し上げ機構に設けられ、押し上げ機構を操作することによって、ロック機構の掛止部材が付勢方向に抗して作動し、被係止部との掛止状態を解除する解除機構とを備えるので、ドライバーなどの別途の器具を必要とせず、簡単な操作でベッド部に装着してロック状態にできるだけでなく、針板を取り外す際には、押し上げ機構の操作に連動して掛止部材と被掛止部材との掛止状態の解除を行うとともに、針板を上方の取り外し位置へ押し上げることができるので、予期せぬ針板の持ち上がりを防止することができる。
【００１４】
また、ロック機構の掛止部材は、ベッド部に往復動可能に設けられた鈎状のロック爪部と、ロック爪部を掛止方向に付勢するロックばねとからなり、ロック機構の被掛止部材は、針板の下面から垂下され、ロック爪部が掛止するロック受け板からなるので、針板がベッド部の取り付け位置に押し込まれたとき、ロック爪部の先端は、ロック受け板の下端に当接することにより一旦、掛止方向と反対側に動いた後、ロック受け板と掛止するので、針板をベッド部に装着するときに、上方から押し込むだけの操作により、ロック爪部がロック受け板に掛止して針板をロックすることができる。
さらに、押し上げ機構は、ベッド部に回動可能に枢着された針板交換レバーと、針板交換レバーの操作により針板の下面を突き上げて針板をベッド部上方の取り外し位置へ押し上げる針板交換棒と、針板交換棒を下方に付勢する戻りばねとからなり、解除機構は、押し上げ機構に設けられた解除部材と、ロック爪部に設けられ、解除部材が係合してロック爪部を付勢方向に抗して作動させる作動部材とからなるので、針板交換レバーを押し下げるワンアクションのみで、ベッド部に装着された針板は、ロック機構の掛止状態が解除されるとともに、取り外し位置に押し上げられ、針板の取り外しを一層容易に行うことができる。
【図面の簡単な説明】
【００１５】
【図１】本発明のミシンの全体斜視図である。
【図２】本発明のミシンのトップカバーを除去したフリーアーム部の分解斜視図である。
【図３】本発明の針板をベッド部に装着するときの状態を示す斜視図である。
【図４】本発明の針板の一端部が嵌入する受け板付近を示す上面図である。
【図５】（ａ）は、本発明のミシンの針板の正面図であり、（ｂ）は、下面（裏面）図である。
【図６】（ａ）は、本発明のミシンの針板をベッド部に装着する際の状態を示す一部を破断した正面図であり、（ｂ）は、図（ａ）の針板の一端部が嵌入する受け板付近を示す要部の拡大図である。
【図７】（ａ）は、本発明のミシンの針板をベッド部に装着する際に、針板ばねの先端部が係合立壁のテーパー部に当接した状態を示す拡大正面図であり、（ｂ）は、ロック受け板の衝当部が掛止爪の傾斜部に当接した状態を示す拡大正面図である。
【図８】（ａ）は、本発明のミシンの針板をベッド部に装着する際に、ロック爪部がロックばねの弾性力に抗して回動した状態を示す拡大正面図であり、（ｂ）は、針板をベッド部に装着掛止した状態を示す一部を破断した正面図である。
【図９】（ａ）は、本発明のミシンの針板をベッド部から取り外す際に、針板交換棒が押し上げられ、ロック爪部の掛止を解除した状態を示す拡大正面図であり、（ｂ）は、針板交換棒が針板の下面を突き上げた状態を示す拡大正面図である。
【発明を実施するための形態】
【００１６】
次に、本発明のロック付き針板交換装置を備えたミシンについて、実施例に示した図面を参照して説明する。
【実施例】
【００１７】
図１において、１は針板交換装置を備えたミシンＭの上部フレームで、脚柱部２と、脚柱部２から左方に延びるアーム部３とから構成されている。
４はミシンＭのベッド部で、ベッド基部５と、ベッド基部５から筒状に延びるフリーアーム部６とから構成されている。
７はフリーアーム部６の上部開口を覆うトップカバーであり、８はフリーアーム部６の上面に、後述するように着脱自在に装着される針板である。
上部フレーム１のアーム部３から先端に針９が装着された針棒が上下方向に駆動され、針９が針板８の針孔８ａ（図５）に挿通駆動されるようになっている。
【００１８】
図１〜３に示すように、１０はベッド部４のフリーアーム部６の下部に設けられ、針板８の下面を押し上げる針板交換棒１１を操作する針板交換レバーである。
フリーアーム部６の上部には、針板８を装着保持するための受け板１２，１３、係合立壁１４，１５、装着保持される針板８を掛止するためのロック爪部１６、針板８を装着する際に位置決めするための案内ピン１７、位置決めピン１８などが配置され、それぞれ上部支持壁２０によって支持されている。
【００１９】
図２〜５に示すように、針板８には、下面の一端側から固定片２１，２２が横方向に突出して設けられている。
固定片２１，２２に対応する受け板１２，１３は、それぞれ、ねじ２３，２４によりフリーアーム部６の上部支持壁２０上面に固定され、受け板１２，１３の端部には、上方に所定角度傾斜して立ち上がった押え片１２ａ，１３ａが形成されている。
針板８をベッド部４に装着する際には、針板８の固定片２１，２２を押え片１２ａ，１３ａと上部支持壁２０の上面との間に、それぞれ嵌挿させるようになっており、これらが係止機構として機能するようになっている。
図４に示すように、一方の受け板１３は、押え片１３ａの両側に、固定片２２よりわずかに広い間隔をもって対向する挿入ガイド面２５を有する導入部２６が設けられている。
【００２０】
針板８には、固定片２１，２２が設けられた一端側から比較的近い位置に案内長孔２７が設けられ、該一端側から比較的遠い位置（後述する針板交換棒１１の突き上げ位置の近傍）に位置決め孔２８が設けられている。
図４および図５（ｂ）に示すように、案内長孔２７は平行ガイド面２９を有しており、針板８の装着時に、案内ピン１７は、案内長孔２７に嵌合し、平行ガイド面２９に沿って摺動可能になっている。
位置決め孔２８は、図７に示すように、針板８の下方に向けてすり鉢状に広がるテーパーガイド面３０を有し、針板８の装着時には、位置決めピン１８が、まずテーパーガイド面３０に接して位置決め孔２８の中心に向けて案内され、位置決め孔２８に完全に嵌合すると最終的な位置決めが完了するようになっており、これらが位置決め機構として機能するようになっている。
【００２１】
図３および図５（ａ）に示すように、針板８には、固定片２１，２２が設けられた一端側と対向する側の下面に針板ばね３１，３２が設けられ、針板ばね３１，３２は、湾曲部３１ａ，３２ａを形成して下方に垂設されている。
図８（ｂ）に示すように、針板８の装着時には、針板ばね３１，３２の湾曲部３１ａ，３２ａは、それぞれ係合立壁１４，１５の嵌入部１４ａ，１５ａ（図３参照）に係合して、その弾性力により針板８の保持状態を維持する保持機構として機能するようになっている。
なお、本実施例では、嵌入部１４ａ，１５ａは、係合立壁１４，１５を貫通する孔になっているが、必ずしも貫通孔である必要はなく、湾曲部３１ａ，３２ａが嵌入して弾性力により係合可能であれば、切り欠かれた凹部等であってもよい。
【００２２】
図２および図３に示すように、係合立壁１４，１５の上端部にそれぞれテーパー部１４ｂ，１５ｂが設けられていることにより、針板８の装着時に針板８を押し下げていく際には、針板ばね３１，３２の湾曲部３１ａ，３２ａまたは先端部３１ｂ，３２ｂがそれぞれテーパー部１４ｂ，１５ｂに摺接して嵌入部１４ａ，１５ａへの係合を容易にするようになっている。
また、後述するように、針板８がベッド部４から取り外された時には、針板ばね３１，３２の湾曲部３１ａ，３２ａまたは先端部３１ｂ，３２ｂがそれぞれテーパー部１４ｂ，１５ｂに支持されて、針板８の取り外し状態を維持するようになっている。
【００２３】
図３に示すように、針板８には、その下面から垂下するロック受け板３３が設けられ、ロック受け板３３には掛止孔３３ａが形成されている。
上部支持壁２０には、その端部から垂下され、水平な支軸３４が植設された取付け板３５が設けられている。
ロック爪部１６は、上方に延びる鈎状の掛止爪３６と、横方向に延びる作動腕３７とを有し、掛止爪３６と作動腕３７とがＵ字状の連結部３８により連結されている。
ロック爪部１６の連結部３８は、取付け板３５に植設された支軸３４に回動可能に枢着され、掛止爪３６と取付け板３５との間には、ロックばね３９が掛け渡されている。
ロック爪部１６は、ロックばね３９の弾性力により、掛止爪３６がロック受け板３３の掛止孔３３ａに掛止する方向（図６〜９でみて反時計回り方向）に回動するように付勢されており、これらがロック機構として機能するようになっている。
【００２４】
なお、本実施例では、ロック受け板３３に掛止孔３３ａが形成されているが、ロック受け板３３に必ずしも掛止孔３３ａが形成されている必要はなく、ロック受け板３３の下端部に掛止爪３６が掛止可能であれば、ロック受け板３３の下端部の縦断面がＬ字形等であってもよい。
また、本実施例では、ロック爪部１６は、取付け板３５に植設された支軸３４に回動可能に枢着されているが、必ずしもロック爪部１６が回動可能に枢着されている必要はなく、ロック受け板３３に掛止する方向に往復動可能であれば、ロック爪部１６は上部支持壁２０に対してスライドするものであってもよい。
【００２５】
ロック爪部１６の作動部材である作動腕３７端部には、支軸３４と平行に作動ピン４０が植設され、作動ピン４０は、針板交換棒１１の途中から横方向に突設された解除部材である解除ピン４１に係合して、ロックばね３９の弾性力により掛止方向に付勢された作動腕３７は、それ以上の回動が阻止されるようになっており、これらが解除機構として機能するようになっている。
なお、本実施例では、作動部材として作動腕３７がロック爪部１６に設けられ、解除部材として解除ピン４１が針板交換棒１１に設けられているが、必ずしも作動腕３７および解除ピン４１である必要はなく、針板交換棒１１の押し上げに連動して解除部材がロック爪部１６を付勢方向に抗して作動可能であれば、解除部材として針板交換棒１１の途中にカム面等を設けるとともに、作動部材としてロック爪部１６に従動子等を設けるものであってもよい。
【００２６】
図２および図３に示すように、ベッド部４のフリーアーム部６の下部には、底壁４２にフリーアーム部６の長手方向に設けられた枢軸４３により、針板交換レバー１０が枢動可能に取り付けられている。
針板交換レバー１０は、枢軸４３より手前側の端部には操作者が指をかけて手前下方に押し下げるための指かけ突部４４が設けられ、指かけ突部４４と反対側の枢軸４３より後方側には、針板交換棒１１の下端部４５に接して針板交換棒１１を上下動させる当接部４６が設けられている。
針板交換棒１１は、フリーアーム部６の下部支持壁４７に支持された戻りばね４８によって下方に付勢され、針板交換棒１１の上端は、針板８の固定片２１，２２が設けられた一端側と対向する側を押し上げるようになっているのに対して、針板交換棒１１の下端部４５は、常に針板交換レバー１０の当接部４６に接するようになっており、これらが押し上げ機構として機能するようになっている。
【００２７】
次に、本実施例の使用態様と作用効果について説明する。
図６に示すように、針板８をベッド部４に装着するためには、まず針板８の一端側に設けられた固定片２１，２２の先端を、受け板１２，１３の手前から上部支持壁２０の上面に摺接させ、一方の固定片２２を同じく一方の受け板１３に設けられた導入部２６の挿入ガイド面２５に沿ってスライドさせて、押え片１３ａと上部支持壁２０の上面が形成する上部固定面との間に嵌入させる。
【００２８】
挿入ガイド面２５は、図４に示すように、固定片２２の幅よりもわずかに大きな間隔を有して対向しており、固定片２１，２２の先端を固定位置に案内して、針板８の一端を位置決めする最初の位置決め機能を果たす。
挿入ガイド面２５を有する導入部２６は、もう一方の受け板１２にも設けることができるが、正確に嵌入することが求められる導入部２６を２個所設けることは操作性が必ずしも良くなく、コスト面からいっても受け板１２，１３のいずれか一方に設ける方が好ましい。
【００２９】
押え片１２ａ，１３ａは、所定角度上方に立ち上った傾斜面を形成しており、上部支持壁２０の上面との間に嵌入した固定片２１，２２を、その先端により形成される仮想回転軸を中心に所定角度回転可能に保持する。
固定片２１，２２の先端により形成される当該仮想回転軸は、挿入ガイド面２５および押え片１２ａ，１３ａにより、ほぼ固定位置の一端部に一致しているから、図６（ａ）に示す矢印方向に、固定片２１，２２が設けられた一端側と対向する側の上方から針板８をベッド部４の上部に押し付けるように押し下げていくと、まず針板８の固定片２１，２２側から比較的近くに設けられた案内長孔２７に案内ピン１７を容易に嵌合させることができる。
【００３０】
針板８をさらに押し下げていくと、図７（ａ）に示すように、固定片２１，２２側から比較的遠くに設けられた位置決め孔２８に位置決めピン１８の先端が当接するようになる。
この状態から、さらに針板８を押し下げていくと、図７（ｂ）に示すように、位置決めピン１８が位置決め孔２８の中心に合致するように、テーパーガイド面３０との接点の軌跡に対応して針板８が移動する。
【００３１】
このとき、案内長孔２７には、図４に示すように、前記仮想回転軸に略垂直な平行ガイド面２９が形成されているので、位置決めピン１８が位置決め孔２８に嵌合していくに従い、案内ピン１７は、案内長孔２７の平行ガイド面２９に沿って摺動し、針板８を正確な固定位置に案内することができる。
このように、案内長孔２７と位置決め孔２８は、それぞれ案内ピン１７と位置決めピン１８とに嵌合し、互いに連携することによって最終的な位置決めを遂行するから、前記仮想回転軸に平行な方向に互いに離隔されていた方が好ましく、仮想回転軸に垂直な同一線上には配置されない方が好ましい。
【００３２】
針板８を押し下げていく過程で、図７（ａ）に示すように、針板８の下部に設けられた針板ばね３１，３２の先端部３１ｂ，３２ｂは、係合立壁１４，１５の上端部に形成されたテーパー部１４ｂ，１５ｂに当接するようになる。
さらに、針板８を押し下げていくと、図７（ｂ）に示すように、針板ばね３１，３２の湾曲部３１ａ，３２ａは、弾性変形しながらテーパー部１４ｂ，１５ｂに摺接しながら下方へと移動していく。
これと同時に、針板８の下面に設けられたロック受け板３３は、その衝当部３３ｂが掛止爪３６の上部に形成された傾斜面３６ａに当接することにより、図８（ａ）に示すように、ロック爪部１６をロックばね３９の弾性力による付勢方向に抗して、時計回り方向に回動させるようになる。
【００３３】
テーパーガイド面３０によって、位置決め孔２８の中心が位置決めピン１８の中心に合致するところまで針板８が移動すると、位置決め孔２８は、位置決めピン１８に完全に嵌合し、針板８は、位置決めを完了してベッド部４の固定面に装着される。
このとき、図８（ｂ）に示すように、針板ばね３１，３２の湾曲部３１ａ，３２ａが係合立壁１４，１５の嵌入部１４ａ，１５ａに嵌入して、その弾性力により針板８をベッド部４の固定位置に保持することができる。
これと同時に、ロック爪部１６は、その掛止爪３６がロック受け板３３に形成された掛止孔３３ａに掛止して、ベッド部４の固定位置に保持された針板８をロック状態とすることができる。
【００３４】
このように、本実施例では、針板８をベッド部４に装着するにあたって、針板８の一端側に設けられた固定片２１，２２を受け板１２，１３に差し込み、固定片２１，２２が設けられた一端側と対向する側の上方から押し下げるだけで位置決めして装着固定することができ、簡単な取り付け操作により、装着された針板の予期せぬ持ち上がりを防止するように強固に掛止してロック状態とすることができる。
【００３５】
次に、装着されている針板８のロック状態を解除してベッド部４上方の取り外し位置へ押し上げ、針板８をベッド部４から取り外す操作について説明する。
図３に示すように、枢軸４３によってベッド部４の下部に取り付けられている針板交換レバー１０は、針板８が固定位置に装着されている非操作状態では、枢軸４３に関して一方の端部付近に配置された当接部４６が、戻りばね４８の弾性力によって下方に付勢されている針板交換棒１１の下端部４５によって押し下げられているので、枢軸４３に関して他方の端部に設けられた指かけ突部４４は、ベッド部４の底壁４２の外周に沿って収容されている。
【００３６】
針板８を取り外すには、針板交換レバー１０の指かけ突部４４に指をかけて押し下げると、枢軸４３を中心として針板交換レバー１０が図３でみて反時計回り方向に回動し、当接部４６がベッド部４の内部を上昇し、戻りばね４８の弾性力に抗して針板交換棒１１の下端部４５を押し上げる。
針板交換レバー１０を押し下げることにより、針板交換棒１１の上端が針板８の下面に当接する直前まで押し上げられると、図９（ａ）に示すように、針板交換棒１１の途中に突設された解除ピン４１は、ロック爪部１６の作動腕３７に植設された作動ピン４０を押し上げて、ロック爪部１６をロックばね３９の弾性力に抗して時計回り方向に回動させる。
ロック爪部１６の回動により、掛止爪３６がロック受け板３３の掛止孔３３ａから外れ、ベッド部４に装着された針板８は、ロック状態が解除される。
さらに、針板交換レバー１０を押下げることにより、針板交換棒１１が上方に押し上げられ、その上端が針板８の下面に当接して、針板８を押し上げる力が作用する。
このとき、針板８に働く針板交換棒１１の押し上げ力が針板ばね３１，３２の弾性力に打ち勝つと、針板８は、ロック爪部１６とロック受け板３３との掛止によるロック状態が解除されているので、受け板１２，１３によって保持されている固定片２１，２２先端の前記仮想回転軸まわりに上方へ回転を始め、針板ばね３１，３２の湾曲部３１ａ，３２ａは係合立壁１４，１５の嵌入部１４ａ，１５ａから離脱して、係合が解除されていく。
【００３７】
さらに、針板交換レバー１０を押し下げると、針板交換棒１１が針板８を押し上げていき、図９（ｂ）に示すように、針板ばね３１，３２が係合立壁１４，１５から完全に離れて、針板８は取り外し位置まで上方に押し上げられ装着前の状態に戻る。
その後、針板交換レバー１０から手を離して針板交換棒１１が非操作位置まで下がっても、図７（ａ）に示すように、針板ばね３１，３２は元の形状に復元して、その先端部３１ｂ，３２ｂが係合立壁１４，１５のテーパー部１４ｂ，１５ｂに乗り上げた状態で保持されるので、針板８が固定位置に戻ってベッド部４の固定面に貼り付いたりすることがなく、手で容易に取り外すことができる。
【００３８】
このように、本実施例では、針板８をベッド部４から取り外すにあたって、別途の器具を必要とせず、針板交換レバー１０を手動で操作するだけのワンタッチアクションで針板８を取り外しするとともに、針板交換レバー１０から手を離しても取り外し状態を維持することができ、取り外し操作を容易に行うことができる。
以上のとおり、本実施例のロック付き針板交換装置は、針板８の一端側に設けた固定片２１，２２を受け板１２，１３に差し込み、固定片２１，２２が設けられた一端側と対向する側の上方から押し下げるだけで、針板８を位置決めして装着し、予期せぬ針板の持ち上がりを防止するようにロック状態とすることができるとともに、針板交換レバー１０を手動で操作するだけで、ロック状態を解除して針板８を取り外すことができるので、針板８の着脱を極めて容易に行うことができるものである。
【００３９】
なお、本実施例では、ベッド部４のフリーアーム部６に針板８を取り付けているが、本発明は、このようなフリーアーム部を有するミシンに限定されることはなく、種々の形態のベッド部を有するミシンに適用することができることはもちろんである。
また、本実施例の受け板１２，１３および固定片２１，２２が構成する係止機構は、針板８の装着時および脱着時の位置を案内・保持して効率的な操作を可能とするものであるが、本発明には必ずしも必要ではなく、保持機構も、本実施例の針板ばね３１，３２と嵌入部１４ａ，１５ａによる係合形態に限定されず、針板８を押し下げるだけで固定し、針板８を押し上げるだけで取り外しすることができるものであれば、種々の公知の係合形態を用いることが可能である。
【産業上の利用可能性】
【００４０】
本発明のロック付き針板交換装置は、装着された針板をワンアクションの操作だけでロック状態を解除して取り外すことができるとともに、簡単な操作で針板を位置決め装着してロック状態とすることができるので、針板の交換や下軸運動機構の保守などを効率的に行うことができ、種々のミシンに広く適用して有利なものである。
【符号の説明】
【００４１】
Ｍ            ミシン
１            上部フレーム
２            脚柱部
３            アーム部
４            ベッド部
５            ベッド基部
６            フリーアーム部
７            トップカバー
８            針板
８ａ          針孔
９            針
１０            針板交換レバー
１１            針板交換棒
１２，１３      受け板
１２ａ，１３ａ  押え片
１４，１５      係合立壁
１４ａ，１５ａ  嵌入部
１４ｂ，１５ｂ  テーパー部
１６            ロック爪部
１７            案内ピン
１８            位置決めピン
２０            上部支持壁
２１，２２      固定片
２３，２４      ねじ
２５            挿入ガイド面
２６            導入部
２７            案内長孔
２８            位置決め孔
２９            平行ガイド面
３０            テーパーガイド面
３１，３２      針板ばね
３１ａ，３２ａ  湾曲部
３１ｂ，３２ｂ  先端部
３３            ロック受け板
３３ａ          掛止孔
３３ｂ          衝当部
３４            支軸
３５            取付け板
３６            掛止爪
３６ａ          傾斜面
３７            作動腕
３８            連結部
３９            ロックばね
４０            作動ピン
４１            解除ピン
４２            底壁
４３            枢軸
４４            指かけ突部
４５            下端部
４６            当接部
４７            下部支持壁
４８            戻りばね
【図１】
0006433188.tif 000002
【図２】
0006433188.tif 000003
【図３】
0006433188.tif 000004
【図４】
0006433188.tif 000005
【図５】
0006433188.tif 000006
【図６】
0006433188.tif 000007
【図７】
0006433188.tif 000008
【図８】
0006433188.tif 000009
【図９】
0006433188.tif 000010